(57)【要約】【課題】消費電力の低減と必要な情報の表示の両立を図る表示装置を提供する。【解決手段】画像信号を入力する入力手段と、前記入力手段によって入力された画像信号を間引き処理する処理手段と、前記画像信号を表示する表示手段と、前記処理手段により間引かれた画像信号をｎライン同時駆動して表示する第１の表示モードと、前記処理手段に間引かれていない画像信号をｎライン同時駆動して表示する第２の表示モードと、前記処理手段に間引かれていない画像信号を１ラインずつライン駆動して表示する第３の表示モードと、を選択し前記表示手段を制御する制御手段と、を有する。【選択図】  図１
2004302065.tif 000002
【特許請求の範囲】
【請求項１】
画像信号を表示する表示手段を駆動制御する、表示装置の駆動制御装置において、
入力された画像信号を、選択された表示モードに応じて、間引き処理する間引き処理手段と、
複数の走査ラインを同時に選択し、前記間引き処理手段により間引かれた画像信号に基づいて、該複数の走査ライン上の画素の表示状態を定める第１の表示モードと、複数走査ラインを同時に選択し、前記間引き処理手段によって間引かれていない画像信号に基づいて、該複数の走査ライン上の画素の表示状態を定める第２の表示モードと、各走査ラインを順次選択し、前記間引き処理手段によって間引かれていない画像信号に基づいて、該走査ライン上の画素の表示状態を定める第３の表示モードと、を選択して実行するように、前記表示手段を制御する制御手段と、
を有することを特徴とする表示装置の駆動制御装置。
【請求項２】
画像信号を表示する表示手段を駆動制御する、表示装置の駆動制御方法において、
入力された画像信号を、選択された表示モードに応じて、間引き処理する間引き処理工程と、
複数の走査ラインを同時に選択し、間引かれた画像信号に基づいて、該複数の走査ライン上の画素の表示状態を定める第１の表示モードと、複数走査ラインを同時に選択し、間引かれていない画像信号に基づいて、該複数の走査ライン上の画素の表示状態を定める第２の表示モードと、各走査ラインを順次選択し、間引かれていない画像信号に基づいて、該走査ライン上の画素の表示状態を定める第３の表示モードと、を選択して実行するように、前記表示手段を制御する制御工程と、
を有することを特徴とする表示装置の駆動制御方法。
【発明の詳細な説明】
【０００１】
【発明の属する技術分野】
本発明は、ＰＤＡや携帯電話等の携帯機器における表示装置の駆動制御装置及び駆動制御方法に関する。
【０００２】
【従来技術】
昨今、電子手帳等のＰＤＡ（Ｐｅｒｓｏｎａｌ  Ｄｉｇｉｔａｌ  Ａｓｓｉｓｔａｎｔｓ）や携帯電話等の携帯機器が盛んに発売、使用されるようになってきた。これら携帯機器は液晶等の表示装置を有し、年々表示画面が大型化しているが、それに伴い低消費電力化が大きな課題となっている。この低消費電力化を実現するための方法の一つに、表示装置の走査線をｎ（２以上の整数）ライン同時に駆動する方法がある。この方法では、予め表示するデータを間引いて、データの転送クロックを低く抑えると共に、１ラインずつ走査する場合のｎ倍の時間をかけて走査することにより、表示装置のＹドライバー（駆動回路）の駆動クロックを１／ｎに抑えることができる。
【０００３】
【発明が解決しようとしている課題】
しかしながら、上述したｎライン同時駆動の場合、文字等のみを表示している場合は問題ないが、インターネットのホームページ閲覧や写真付き電子メールのように、同一画面上に写真等の画像を同時に表示する場合には解像度が不足してしまう。そのため、特定の画像部分のみ一時的に拡大、もしくは高解像度化して表示させたいニーズが生じる。
【０００４】
本発明は上記の従来技術の課題を解決するためになされたもので、その目的とるところは、消費電力の低減と必要な情報の表示の両立を図る表示装置を提供することにある。
【０００５】
【課題を解決するための手段】
上記目的を達成するために本発明にあっては、
画像信号を表示する表示手段を駆動制御する、表示装置の駆動制御装置において、
入力された画像信号を、選択された表示モードに応じて、間引き処理する間引き処理手段と、
複数の走査ラインを同時に選択し、前記間引き処理手段により間引かれた画像信号に基づいて、該複数の走査ライン上の画素の表示状態を定める第１の表示モードと、複数走査ラインを同時に選択し、前記間引き処理手段によって間引かれていない画像信号に基づいて、該複数の走査ライン上の画素の表示状態を定める第２の表示モードと、各走査ラインを順次選択し、前記間引き処理手段によって間引かれていない画像信号に基づいて、該走査ライン上の画素の表示状態を定める第３の表示モードと、を選択して実行するように、前記表示手段を制御する制御手段と、
を有することを特徴とする。
【０００６】
前記第１の表示モードにより前記表示手段に表示されている画像信号の所望領域を指定する指定手段を有し、
前記制御手段は、
前記所望領域に対応する画像に対して前記第２の表示モード又は前記第３の表示モードを選択し、それ以外の領域に対応する画像に対して前記第１の表示モードを選択し、前記表示手段を制御することが好適である。
【０００７】
画像信号を表示する表示手段を駆動制御する、表示装置の駆動制御方法において、
入力された画像信号を、選択された表示モードに応じて、間引き処理する間引き処理工程と、
複数の走査ラインを同時に選択し、間引かれた画像信号に基づいて、該複数の走査ライン上の画素の表示状態を定める第１の表示モードと、複数走査ラインを同時に選択し、間引かれていない画像信号に基づいて、該複数の走査ライン上の画素の表示状態を定める第２の表示モードと、各走査ラインを順次選択し、間引かれていない画像信号に基づいて、該走査ライン上の画素の表示状態を定める第３の表示モードと、を選択して実行するように、前記表示手段を制御する制御工程と、
を有することを特徴とする。
【０００８】
上記構成によれば、通常時には低消費電力化を図りつつ、必要時には所望の領域のみ拡大表示あるいは高解像度表示させることが可能となる。
【０００９】
【発明の実施の形態】
以下に図面を参照して、この発明の好適な実施の形態を例示的に詳しく説明する。ただし、この実施の形態に記載されている構成部品の機能、寸法、材質、形状、その相対配置などは、特に特定的な記載がない限りは、この発明の範囲をそれらのみに限定する趣旨のものではない。
【００１０】
はじめに、図２を参照して、本実施の形態に係る３種類の表示モードについて説明する。図２は、本発明の実施の形態に係る表示モードについて説明するための概念図である。
【００１１】
図２（ａ）は、複数の走査ラインを同時に選択し、間引き処理手段により間引かれた画像信号に基づいて、複数の走査ライン上の画素の表示状態を定める第１の表示モード（低消費電力モード）の場合の表示例を示している。
【００１２】
この第１の表示モードでは、予め１／ｎに間引かれた表示データをｎ（２以上の整数）ライン同時駆動により表示する。そのため本来表示装置が表示可能な解像度の１／ｎの解像度での表示となるが、電子メールのテキストのみの表示のような場合には必要にして十分であり、表示データ転送クロック並びに表示駆動回路のクロックを１／ｎにできるため、低消費電力化が図れる。
【００１３】
表示手段としての表示パネルが、走査ラインとなる走査電極と入力画像信号に対応した表示データが供給されるデータ電極との単純マトリクス構造を有する場合、ここでいう、ｎ（２以上の整数）ライン同時駆動とは、１水平走査期間（１Ｈ）中に、全走査電極のうち少なくとも２つの走査電極に走査選択電位が与えられ、残りの走査電極に走査非選択電位が与えられた状態で、各データ電極に表示データに応じた電位が順次又は同時に与えられることである。これにより、選択された、即ち、走査選択電位が与えられた複数の走査ライン上の画素のうち、同じデータ電極に接続されているｎ個の画素は同じ表示状態となる。アクティブマトリクス構造を有する表示パネルの場合も同様に、走査ラインとしてのゲート電極の複数に同時にトランジスタをオンとする走査選択電位が与えられるとともに、データ電極（ソースライン）に表示データに応じた電位が順次又は同時に与えられることである。
【００１４】
図２（ｂ）は、複数走査ラインを同時に選択し、間引かれていない画像信号に基づいて、該複数の走査ライン上の画素の表示状態を定める第２の表示モード（拡大モード）の場合の表示例を示している。
【００１５】
この第２の表示モードでは、操作者により指定された領域については、表示データ全てをｎライン同時駆動により表示する。指定領域以外については、第１の表示モードと同様に、１／ｎに間引かれた表示データをｎライン同時駆動により表示する。この場合、指定領域については低消費電力モード時のｎ倍の解像度で拡大表示され、全体として表示される領域は限定されるものの、操作者にとって所望の領域（写真画像等）を見やすく表示できると共に、表示画像の転送クロック並びに表示駆動回路のクロックを１／ｎにできるため、低消費電力化が図れる。
【００１６】
図２（ｃ）は、各走査ラインを順次選択し、間引かれていない画像信号に基づいて、該走査ライン上の画素の表示状態を定める第３の表示モード（高解像度モード）の場合の表示例を示している。
【００１７】
この第３の表示モードでは、操作者により指定された領域については表示データの間引を行わず、かつ１ラインずつ駆動して高解像度表示する。他方それ以外の領域については、第１の表示モードと同様に、予め１／ｎに間引かれた表示データをｎライン同時駆動により表示する。これにより低消費電力モード、あるいは拡大モードに比べて消費電力は増えるものの、１ラインずつ全ライン駆動した場合に比べて低消費電力化を図りつつ、操作者にとって所望の領域は高解像度で見やすく表示され、かつ全ての表示領域が表示される。
【００１８】
次に、上記間引き処理について図７を参照して説明する。図７は、本発明の実施の形態に係る間引き処理について説明するための概念図である。図７は、表示パネルの全画素の表示データを、各画素毎に決められたアドレスに格納できる半導体メモリのような記憶手段の内部に格納されている形態を示している。この場合、メモリからの読み出しアドレスを決定して、決定されたアドレスの順に映像信号を読み出す機能ブロックが、間引き処理手段である。
【００１９】
図７は、表示データを１／２に間引く場合を示しており、ここでは、例えば奇数ラインの表示データが間引かれて捨てられ、偶数ラインの表示データのみが使用される。
【００２０】
あるいは、表示データをメモリに格納する際に、例えば、奇数ラインの表示データは格納せずに、偶数ラインの表示データのみがメモリに格納される形態であれば、メモリへの書き込み機能ブロックが間引き処理手段となる。
【００２１】
また、該ｎラインが同時に駆動される期間は１ラインずつ順次駆動される場合のｎ倍であるため、駆動回路の動作クロックは１／ｎとなる。このように、ｎライン同時駆動の際の水平走査駆動周波数を１ライン順次駆動の際の水平走査駆動周波数より低くすることが好ましいものである。
【００２２】
【実施例】
（第１の実施例）
次に、本発明に係る第１の実施例について図１を参照してより具体的に説明する。図１は、本発明の第１の実施例に係る表示装置を有する携帯機器を実現するための構成例を示すブロック図である。なお、該構成例は本発明に係る表示装置を携帯機器において実現する場合を例にして説明するが、それ以外の機器において本発明に係る表示装置を実現しても良く、どのような機器において本発明に係る表示装置を実現するかは、本発明を限定するものではない。
【００２３】
図１に示す携帯機器のブロック図は、通信Ｉ／Ｆ手段１１、メモリ手段１２、画像処理手段１３、表示手段１４、ユーザーＩ／Ｆ手段１５、ＣＰＵ手段１６とから構成される。以下各ブロックについて説明する。
【００２４】
＜通信Ｉ／Ｆ手段＞
通信Ｉ／Ｆ手段１１は、携帯機器の入出力Ｉ／Ｆであり、携帯機器に備わるアプリケーションによりどのような通信あるいは入出力を行うかが決まる。例えば電子メールを送受信する機能を携帯機器が有するような場合、例えば最寄りの無線基地局（図示せず）との無線通信を行う。あるいはモデムとして機能し、電話回線経由で公衆回線網（図示せず）と接続する。さらに、メモリーカード等外部記憶媒体からデータを取り込む際の入出力Ｉ／Ｆとしても機能する。
【００２５】
なお、該通信Ｉ／Ｆ手段１１においてなされる通信あるいは入出力は、本発明に係る表示装置及び駆動方法を限定するものでなければどのようなものでもかまわない。
【００２６】
＜メモリ手段＞
メモリ手段１２は、上記通信Ｉ／Ｆ手段１１を介して取得、もしくは上記通信Ｉ／Ｆ手段１１を介して送信されるデータ等を格納する。例えば電子メールアプリケーションを実行中であれば、電子メールのテキストファイル及び添付された画像ファイルを格納し、ＷＷＷ（Ｗｏｒｌｄ  Ｗｉｄｅ  Ｗｅｂ）ブラウザアプリケーションを実行中であれば、ＷＷＷサーバー（図示せず）より取得したＨＴＭＬ（Ｈｙｐｅｒ  Ｔｅｘｔ  Ｍａｒｋｕｐ  Ｌａｎｇｕａｇｅ）ファイル及びＪＰＥＧ（Ｊｏｉｎｔ  Ｐｉｃｔｕｒｅ  Ｅｘｐｅｒｔｓ  Ｇｒｏｕｐ）等のメタデータファイルが格納される。
【００２７】
＜画像処理手段＞
画像処理手段１３は、後述するユーザーＩ／Ｆ手段１５経由で取得した操作者からの表示モード変更要求に応じて、後述するＣＰＵ手段１６からの制御により、上述した表示データの間引き処理を行い、後述する表示手段１４に出力する。該表示データの間引き処理がなされるのは、表示モードが上述した低消費電力モードの場合の全領域、並びに拡大モード、高解像度モード時の非選択領域（操作者により選択されなかった領域）である。なお、上記間引き処理等、画像処理手段１３においてなされる処理は、上述した表示モードが変更される度に変更される。例えば、図７のような処理を行う場合には、ここにメモリを独自に持つ他に、メモリ手段１２の一部を利用して間引き処理時に必要な表示データの格納を行ってもよい。
【００２８】
＜表示手段＞
表示手段１４の構成例を図３に示す。該表示手段１４は、制御部３１、Ｘドライバー３２、Ｙドライバー３３、表示パネル３４とから構成される。制御部３１は、表示データ値のＸドライバー３３への出力並びにタイミング制御等を行うと共に、Ｙドライバー３３の駆動制御並びにタイミング制御等を行う。Ｘドライバー３２は、表示データを、そのまま、あるいは表示データに応じて変調された電圧値や電流値やパルス幅を有する変調信号に変換して、データ電極に与える駆動回路である。Ｙドライバー３３は、表示モードに応じて、走査ラインを選択する駆動回路である。
【００２９】
ここで駆動制御とは、後述するＣＰＵ手段１６からの制御により、表示モードに応じてｎライン同時駆動並びに１ラインずつの通常駆動の切り替えをＹドライバー３３に対して制御することをいう。ただし、Ｙドライバー３３の駆動方法は、表示パネルの全走査ラインに対して同じ場合もあれば、一部の走査ラインのみｎライン同時駆動、その他は走査ラインが通常駆動される場合もある。
【００３０】
図３ではＹドライバー３３は一つのブロックとして示しているが、例えばユーザー選択させる領域の分割数ｍ（２以上の整数）個のドライバーＩＣ（回路）からなるように構成すると、各ドライバーＩＣはそれぞれ全ライン同じ駆動方法で動作させることができる。因みに、ｎライン同時駆動がなされるのは、表示モードが上述した低消費電力モード並びに拡大モードの場合の全ライン、及び高解像度モード時の非選択領域のラインである。
【００３１】
次に、上述した各表示モードにおける駆動制御について、図４のタイミングチャートを用いて詳細に説明する。図４は、本発明に係る各表示モード時の駆動タイミングについて説明するためのタイミング図である。
【００３２】
図４は、低消費電力モード時の駆動タイミングについて示している。低消費電力モードでは、上述したように上記画像処理手段１３において表示データが１／ｎに間引かれ、例えば図４に示すように偶数ラインのデータ（Ｌ０，Ｌ２，Ｌ４，Ｌ６・・・）のみｎライン同時駆動して表示される。
【００３３】
図４において、Ｐ０，Ｐ１，Ｐ２，・・・は各走査ラインが選択（駆動）されるタイミングを表しており、例えば同じＬ０の表示データがライン０及びライン１で同時に駆動されることを示している。またＬＣはラインクロックを示しており、Ｐ０及びＰ１が２ライン分の期間をかけてゆっくり駆動されることを示している。Ｐ２，Ｐ３，及びそれ以降のラインについてもＰ０，Ｐ１と同様である。
【００３４】
図５は、拡大モード時の駆動タイミングについて示している。拡大モードでは、上述したように、操作者より指定された領域の表示データ（例えば図５におけるＬ０〜Ｌ３）は間引き処理されず、指定領域以外の表示データ（例えば図５におけるＬ４〜）は上記画像処理手段１３において１／ｎに間引かれる。これら指定領域及び非指定領域の全ラインの表示データは、共にｎライン同時駆動して表示される。
【００３５】
従って該拡大モードにおいても上記低消費電力モード同様、全ラインについてｎライン同時駆動されて表示されるが、操作者から指定された領域（Ｌ０〜Ｌ３）は表示データが間引かれていないため、非指定領域（Ｌ４〜）よりも拡大して表示されることになる。また上述した低消費電力モード同様、図５においてＰ０，Ｐ１，Ｐ２・・・は各ラインが駆動されるタイミングを表しており、ＬＣがラインクロックを示し、操作者選択領域（Ｐ０およびＰ１等）、操作者非選択領域（Ｐ８およびＰ９等）共に２ライン分の期間をかけてゆっくり駆動されることを示している。
【００３６】
図６は、高解像度モード時の駆動タイミングについて示している。高解像度モードでは、上述したように、操作者より指定された領域の表示データ（例えば図６におけるＬ０〜Ｌ３）は間引き処理されず、１ラインずつ順次駆動して表示される。指定領域以外の表示データ（例えば図６におけるＬ４、Ｌ６〜）は上記画像処理手段１３において１／ｎに間引かれ、ｎライン同時駆動されて表示される。
【００３７】
従って、操作者選択領域（Ｌ０〜Ｌ３）は高解像度で表示され、操作者非選択領域（Ｌ４、Ｌ６〜）は粗く表示される。また上述した低消費電力モード、拡大モード同様、図６においてＰ０，Ｐ１，Ｐ２，・・・は各ラインが駆動されるタイミングを表しており、ＬＣがラインクロックを示しているが、操作者選択領域であるＰ０〜Ｐ３での駆動は、通常の１ライン分の期間においてそれぞれなされる。一方操作者非選択領域であるＰ４以降は、２ライン分の期間をかけてゆっくり駆動されることを示している。換言すれば、領域Ｐ０〜Ｐ３での水平走査の駆動周波数は、領域Ｐ４以降の水平走査の駆動周波数の２倍になっている。
【００３８】
＜ユーザーＩ／Ｆ手段＞
ユーザーＩ／Ｆ手段１５は、操作者からの表示モード変更や領域の指定等の操作を受け付ける手段であり、図２に例を示したようなキー入力手段等を介して受け付けた操作を、後述するＣＰＵ手段１６に知らしめる。本発明において、操作者からの操作入力手段は、ボタンキーのようなものが好適であるが、リモコンやその他の入力装置等どのようなものでもかまわない。
【００３９】
＜ＣＰＵ手段＞
ＣＰＵ手段１６は、上記ユーザーＩ／Ｆ手段１５を介して操作者からの表示モード変更並びに領域の指定を受け、選択された表示モード並びに領域に応じて、上記画像処理手段１３における間引き処理、表示手段１４における駆動を制御する制御手段として機能する。
【００４０】
次に、図８〜図１１のフロー図を参照して、該ＣＰＵ手段１６においてなされる制御について詳細に説明する。図８は、本発明の第１の実施例に係るＣＰＵ手段でなされる処理の概略を示すフローチャートである。図９、図１０、図１１はそれぞれ低消費電力モード、拡大モード、高解像度モードにおけるフローチャートを示している。
【００４１】
まず図８を参照して説明する。本実施の形態に係る表示装置では、起動時の表示モードを低消費電力モードとしているため、処理Ａ（図９で説明）を行う（Ｓ６１）。
【００４２】
操作者より表示モード変更要求があり（Ｓ６２）、拡大モードであった場合（Ｓ６３）、処理Ｂ（図１０で説明）を行う（Ｓ６４）。
【００４３】
そうでなく高解像度モードであった場合、処理Ｃ（図１１で説明）を行う（Ｓ６７）。以下同様に、操作者により選択された表示モードに応じてこれら処理を行う。
【００４４】
次に処理Ａについて図９のフローチャートを用いて説明する。該処理Ａは低消費電力モードを操作者が選択した場合、もしくは起動時の処理であるが、上述した画像処理手段１３に全領域について間引き処理を行うように設定する（Ｓ６１０）。そして上述した表示手段１４に対して、全ラインについてｎライン同時駆動を行うように設定する（Ｓ６１１）。
【００４５】
次に処理Ｂについて図１０のフローチャートを用いて説明する。該処理Ｂは拡大モードを操作者が選択した場合の処理である。操作者による領域指定がされていない場合には（Ｓ６１２）、領域指定を要求する表示を表示手段１４に表示させる（Ｓ６１３）。操作者による領域指定がなされると、上述した画像処理手段１３に、操作者指定領域は間引き処理を行わず、操作者非指定領域は間引き処理を行うように設定する（Ｓ６１４）。そして上述した表示手段１４に対して、全ラインについてｎライン同時駆動を行うように設定する（Ｓ６１５）。
【００４６】
最後に処理Ｃについて図１１のフローを用いて説明する。該処理Ｃは高解像度モードを操作者が選択した場合の処理である。操作者による領域指定がされていない場合には（Ｓ６１６）、領域指定を要求する表示を表示手段１４に表示させる（Ｓ６１７）。操作者による領域指定がなされると、上述した画像処理手段１３に、操作者指定領域は間引き処理を行わず、操作者非指定領域は間引き処理を行うように設定する（Ｓ６１８）。そして上述した表示手段１４に対して、操作者指定領域は１ラインずつ駆動し、操作者非指定領域はｎライン同時駆動を行うように設定する（Ｓ６１９）。
【００４７】
従って、本実施例によれば、通常時には低消費電力化を図りつつ、必要時には所望の領域のみ拡大表示あるいは高解像度表示させることが可能となる。
【００４８】
（第２の実施例）
続いて本発明に係る第２の実施例について図１、図１２を参照してより具体的に説明する。図１２は、本発明の第２の実施例に係るＣＰＵ手段でなされる処理について説明するためのフローチャートである。
【００４９】
本発明の第２の実施例に係る表示装置を有する携帯機器を実現するための構成例は、本発明の第１の実施例と同様図１で示され、通信Ｉ／Ｆ手段１１、メモリ手段１２、画像処理手段１３、表示手段１４、ユーザーＩ／Ｆ手段１５、ＣＰＵ手段１６とから構成される。
【００５０】
本発明の第１の実施例では、起動時は低消費電力モードで動作し、操作者による表示モード変更により自由に表示モードを変更することができ、変更要求があるまでその表示モードで固定される。一方、本発明の第２の実施例では、起動時は低消費電力モードで動作するが、操作者による表示モード変更要求（どの表示モードかは指定できない）があると、自動的に拡大モードに移行し、一定時間後さらに高解像度モードに移行し、さらに一定時間後には低消費電力モードに戻る。
【００５１】
本発明第２の実施例の趣旨は、操作者に煩わしい操作を必要とせずに、所望の領域を一時的に見やすく表示し、その後は自動で低消費電力モードに戻すことにより、極力低消費電力化を実現できるようにしていることにある。
【００５２】
なお、本発明第２の実施例に係る、通信Ｉ／Ｆ手段１１、メモリ手段１２、画像処理手段１３、表示手段１４、ユーザーＩ／Ｆ手段１５についての説明は、第１の実施例と同様であるため省略する。
【００５３】
＜ＣＰＵ手段＞
ＣＰＵ手段１６は、第１の実施例同様、ユーザーＩ／Ｆ手段１５を介して操作者からの表示モード変更並びに領域の指定を受け、選択された表示モード並びに領域に応じて、上記画像処理手段１３における間引き処理、表示手段１４における駆動を制御する。
【００５４】
次にＣＰＵ手段１６においてなされる処理について、図１２を参照して説明する。
【００５５】
本発明に係る表示装置では、起動時の表示モードを低消費電力モードとしているため処理Ａ（第１の実施例で説明した処理と同様であるため説明を省略する）を行う（Ｓ７１）。
【００５６】
そして、操作者より表示モード変更要求があると（Ｓ７２）、処理Ｂ（第１の実施例で説明した処理と同様であるため説明を省略する）を行って操作者が見たい領域を拡大表示する（Ｓ７３）。
【００５７】
そのままでは全表示データの内の一部しか同時に表示できないため、所定時間経過後（Ｓ７４）に処理Ｃ（第１の実施例で説明した処理と同様であるため説明を省略する）を行って（Ｓ７５）、高解像度モードに移行する。
【００５８】
高解像度モードでは、所望の領域は高解像度で表示され、かつ全表示データが同時に表示されるため、好適な表示モードであるが、該表示モードのまま動作しつづけると消費電力が大きくなるため、所定時間経過後（Ｓ７６）、低消費電力モードに自動的に移行させる。
【００５９】
従って、本実施例によれば、通常時には低消費電力化を図りつつ、必要時には表示モードを一定時間ごとに自動で遷移させることにより、操作者に煩わしい操作無しに、所望の領域のみ一定時間良く見えるようにすることが可能となる。
【００６０】
また、本発明の実施の形態には、次の実施態様も含まれる。
【００６１】
［実施態様１］
画像信号を表示する表示手段を駆動制御する、表示装置の駆動制御装置において、
入力された画像信号を、選択された表示モードに応じて、間引き処理する間引き処理手段と、
複数の走査ラインを同時に選択し、前記間引き処理手段により間引かれた画像信号に基づいて、該複数の走査ライン上の画素の表示状態を定める第１の表示モードと、複数走査ラインを同時に選択し、前記間引き処理手段によって間引かれていない画像信号に基づいて、該複数の走査ライン上の画素の表示状態を定める第２の表示モードと、各走査ラインを順次選択し、前記間引き処理手段によって間引かれていない画像信号に基づいて、該走査ライン上の画素の表示状態を定める第３の表示モードと、を選択して実行するように、前記表示手段を制御する制御手段と、
を有することを特徴とする表示装置の駆動制御装置。
【００６２】
［実施態様２］
前記第１の表示モードにより前記表示手段に表示されている画像信号の所望領域を指定する指定手段を有し、
前記制御手段は、
前記所望領域に対応する画像に対して前記第２の表示モード又は前記第３の表示モードを選択し、それ以外の領域に対応する画像に対して前記第１の表示モードを選択し、前記表示手段を制御することを特徴とする実施態様１に記載の表示装置。
【００６３】
［実施態様３］
画像信号を表示する表示手段を駆動制御する、表示装置の駆動制御方法において、
入力された画像信号を、選択された表示モードに応じて、間引き処理する間引き処理工程と、
複数の走査ラインを同時に選択し、間引かれた画像信号に基づいて、該複数の走査ライン上の画素の表示状態を定める第１の表示モードと、複数走査ラインを同時に選択し、間引かれていない画像信号に基づいて、該複数の走査ライン上の画素の表示状態を定める第２の表示モードと、各走査ラインを順次選択し、間引かれていない画像信号に基づいて、該走査ライン上の画素の表示状態を定める第３の表示モードと、を選択して実行するように、前記表示手段を制御する制御工程と、
を有することを特徴とする表示装置の駆動制御方法。
【００６４】
【発明の効果】
以上説明したように、本発明は、表示させる画像に応じて複数の表示モードを選択し制御するので、消費電力の低減と必要な情報の表示の両立を図ることが可能となる。
【図面の簡単な説明】
【図１】本発明に係る全体構成例を説明するためのブロック図である。
【図２】本発明の実施の形態に係る表示モードについて説明するための概念図である。
【図３】本発明に係る表示手段の構成例を説明するためのブロック図である。
【図４】本発明に係る低消費電力モード時の駆動タイミングについて説明するためのタイミング図である。
【図５】本発明に係る拡大モード時の駆動タイミングについて説明するためのタイミング図である。
【図６】本発明に係る高解像度モード時の駆動タイミングについて説明するためのタイミング図である。
【図７】本発明の実施の形態に係る間引き処理について説明するための概念図である。
【図８】本発明の第１の実施例に係るＣＰＵ手段でなされる処理について説明するためのフローチャートである。
【図９】本発明の第１の実施例に係る低消費電力モードにおける処理について説明するためのフローチャートである。
【図１０】本発明の第１の実施例に係る拡大モードにおける処理について説明するためのフローチャートである。
【図１１】本発明の第１の実施例に係る高解像度モードにおける処理について説明するためのフローチャートである。
【図１２】本発明の第２の実施例に係るＣＰＵ手段でなされる処理について説明するためのフローチャートである。
【符号の説明】
１１  通信Ｉ／Ｆ手段
１２  メモリ手段
１３  画像処理手段
１４  表示手段
１５  ユーザーＩ／Ｆ手段
１６  ＣＰＵ手段
３１  制御部
３２  Ｘドライバー
３３  Ｙドライバー
３４  表示パネル
【図１】
2004302065.tif 000003
【図２】
2004302065.tif 000004
【図３】
2004302065.tif 000005
【図４】
2004302065.tif 000006
【図５】
2004302065.tif 000007
【図６】
2004302065.tif 000008
【図７】
2004302065.tif 000009
【図８】
2004302065.tif 000010
【図９】
2004302065.tif 000011
【図１０】
2004302065.tif 000012
【図１１】
2004302065.tif 000013
【図１２】
2004302065.tif 000014